(57)【特許請求の範囲】
【請求項１】
ドラムまたはリールを介して回転する複数の図柄シートを見るための複数の表示窓を有する表示パネルと、
遊技盤の飾り板のような固定枠に対する前記表示パネルの傾斜角度を任意の角度に調整させることができる傾斜角度調整手段と
を有し、
前記傾斜角度調整手段は前記表示パネルの両側面に取付けられた一対の水平の回転軸と、前記表示パネルと一体の手動調整板とを有し、
前記表示パネルは前記回転軸を介して遊技盤の飾り板のような固定枠に回転自在に取付けられ、かつ前記手動調整板を用いて任意の傾斜角度で保持され、前記図柄シートが停止した際の３つの図柄の揃えが入賞であるかどうか目視で確認するためのものであり、前記表示パネルの透明板上に中心線を含む３本の平行線と中心線を示す２本の傾斜線として描かれる組み合わせラインを有することを特徴とする回胴式遊技機。
【請求項２】
前記回転軸は弾性体に抗して前記表示パネル側に引っ込めさせることが可能で、かつ前記弾性体により付勢されて前記固定枠の内側に設けた取り付け穴に挿入させることができることを特徴とする請求項１に記載の回胴式遊技機。
【請求項３】
前記回転軸は前記固定枠の裏側に設けた開口溝に保持される構造を有し、前記表示パネルは遊技盤の裏側から取り付け可能となっていることを特徴とする請求項１に記載の回胴式遊技機。
【発明の詳細な説明】
【０００１】
【発明の属する技術分野】
本発明は、スロットマシーンやパロット等の回胴式遊技機に関し、特にその表示パネルに関する。
【０００２】
【従来の技術】
メダル（遊技メダル、コインともいう）を用いる在来のスロットマシーンでは、周知のように、モータ駆動で図柄が回転する３個の回転ドラムを有する表示パネルを備え、かつメダル投入口、ドラムを回転させるスタートボタン、ドラムを停止させる停止ボタン等を備えている。メダル投入口にメダル1枚が吸い込まれて、遊技者がスタートボタンを押すと、ドラムが回転し、３個の停止ボタンを次々と押すとそれらドラムが順次停止する。このドラム停止後の３つのドラムの図柄のいくつかの揃い方のパターンにより、当り（入賞）、外れが決定され、当りの場合には図柄のいくつかの揃い方に応じて予め決められた数のメダルがメダル受け皿に排出される。従って、図柄の揃いを正確に、かつ容易に確認できるようにすることは、遊技者にとって遊技を円滑に進める上で重要なことである。従来から、この図柄の揃いの確認をしやすくするために、表示パネルの透明板上には複数本の組合せライン（ライン表示とも称する）が描かれている。
【０００３】
また、メダルの代わりにパチンコ機の遊技球（パチンコ球）を共用し、遊技球１個または数個をメダル１枚に対応させて、メダルを使用する在来のスロットマシーンと全く同様な遊技が行えるように構成したパロットと呼ばれる遊技機が近年開発されているが、このパロットも、通常は上記の在来のスロットマシーンと全く同様に、モータ駆動により図柄が回転する３個の回転ドラム（またはベルトあるいは図柄シート）を有する表示パネルを備えている。このパロットはパチンコ機の遊技球がそのまま使用できる点で、遊技者にとってもパチンコパーラーにとっても多大な利点があり、将来的にも有望であると期待されている。
【０００４】
一方、パチスロとも称されているパチンコ機の表示パネルは現在では殆ど液晶表示器が使用されているが、在来のスロットマシーンと同様に、モータ駆動の図柄回転ドラムを使用しているオールドスタイルのパチンコ機も、この機械式の回転ドラムを好む少なからぬパチンコフアンのために依然として提供されている。
【０００５】
このようなスロットマシーンやパロット等の回胴式遊技機の表示パネルは、回転ドラム（またはベルトあるいは図柄シート）対してやや傾斜をつけて固定していた。
【０００６】
【発明が解決しようとする課題】
しかしながら、上記のような固定式の従来の表示パネルでは、遊技者の個人差によって座高の高さが異なるので、遊技者が遊技台の前に座って遊技をする上で遊技者の目線が、表示パネル上の組合せラインに焦点が合わないことがしばしばあり、そのため実際には「外れ」の場合なのにライン上に図柄が揃った「当り（入賞）」のように見えるという不具合が生じていた。
【０００７】
本発明は、上記の点に鑑みてなされたもので、その目的は遊技者の座高の高さに拘わらず、遊技者の目線の焦点を表示パネルの組合せラインに合わせることができるように図った回胴式遊技機を提供することにある。
【０００８】
【課題を解決するための手段】
上記目的を達成するため、請求項１の発明は、ドラムまたはリールを介して回転する複数の図柄シートを見るための複数の表示窓を有する表示パネルと、遊技盤の飾り板のような固定枠に対する前記表示パネルの傾斜角度を任意の角度に調整させることができる傾斜角度調整手段とを有し、前記傾斜角度調整手段は前記表示パネルの両側面に取付けられた一対の水平の回転軸と、前記表示パネルと一体の手動調整板とを有し、前記表示パネルは前記回転軸を介して遊技盤の飾り板のような固定枠に回転自在に取付けられ、かつ前記手動調整板を用いて任意の傾斜角度で保持され、図柄シートが停止した際の３つの図柄の揃えが入賞であるかどうか目視で確認するためのものであり、前記表示パネルの透明板上に中心線を含む３本の平行線と中心線を示す２本の傾斜線として描かれる組み合わせラインを有することを特徴とする。
【００１０】
また、前記回転軸は弾性体に抗して前記表示パネル側に引っ込めさせることが可能で、かつ前記弾性体により付勢されて前記固定枠の内側に設けた取り付け穴に挿入させることができることを特徴とすることができる。
【００１１】
また、前記回転軸は前記固定枠の裏側に設けた開口溝に保持される構造を有し、前記表示パネルは遊技盤の裏側から取り付け可能となっていることを特徴とすることができる。
【００１２】
【発明の実施の形態】
以下、図面を参照して本発明の実施形態を詳細に説明する。
【００１３】
図１はスロットマシーンやパロット等の回胴式遊技機に用いられる本発明の一実施形態の表示パネルの外観構成の一例を示す斜視図である。図１に示すように、表示パネル１０１は後述の回転する図柄シートを見るための横３列の表示窓１０２を有し、飾り板１１０の開口部にはめ込まれている。さらに、表示パネル１０１はその両側部の中心位置にそれぞれ設けた回転軸１０３を介して回動可能となっており、表示パネル１０１と一体の半円板状の調整板１０４を遊技者が指で動かすことにより、表示パネル１０１は上下方向にチルトして傾斜し、遊技者の好む傾斜角度で表示窓１０２を保持させることができる。
【００１４】
組合せライン（ライン表示とも称する）１０５は、後述の図柄シートが停止した際の３つの図柄の揃えが入賞であるかどうかを目視で確認するためのものであり、本例では表示パネル１０１の透明板上に中心線を含む３本の平行線と中心点を示すための２本の傾斜線として描かれている。
【００１５】
飾り板１１０には、ライン表示（有効ライン表示器とも称する）１１１、停止表示１１２、賞球表示１１３、クレジット（貯溜）数表示１１４、投入数表示１１５、およびボーナスゲーム表示１１６などゲームに関連する必要な各種表示器または表示窓が取付けられている。
【００１６】
図２は、図１の表示パネル１０１の取付け方法の一例を示す分解斜視図である。遊技機組立時において、表示パネル１０１は飾り板１１０の開口部１１７にはめ込まれ、表示パネル１０１の両側面に設けた回転軸１０３がその開口部１１７の両側の壁に開けた固定穴１１８に挿入される。
【００１７】
図３は、図２の表示パネル１０１の取付け後の取り付け部の断面構造の一例を示す縦断面図である。本例の回転軸１０３はその下部にストッパ鍔（フランジ）を形成した取り付けピン兼用ものである。表示パネル１０１の両側面に開けた穴１０６の中に、コイルバネのようなバネ１０７（あるいは他の弾性部材）と取り付けピン兼用の回転軸１０３とをこの順序で収納し、穴１０６を塞ぐための皿状の留め金１０８を最後に取付ける。留め金１０８の中心位置には回転軸１０３の頭部を通す貫通孔が開けられており、留め金１０８はその留め金の外周面に形成した雄ねじ等により表示パネル１０１の両側面に固定される。
【００１８】
回転軸１０３の頭部は通常はバネ１０７の付勢により留め金１０８の貫通孔から外方向に所定の長さだけ突出しているが、表示パネル１０１の取り付け時に、その回転軸１０３の頭部を上から押さえることで、その留め金１０８を貫通孔内側に引っ込ませることができる。これにより表示パネル１０１は飾り板１１０の開口部１１７にはめ込まれ、回転軸１０３の頭部が飾り板１１０の固定穴１１８の位置に達すると、再び回転軸１０３の頭部がバネ１０７の付勢により留め金１０８の貫通孔から突出し、飾り板１１０の固定穴１１８に挿入する。これにより、表示パネル１０１は回転軸１０３を枢軸として上下方向に回転（チルト）でき、回転軸１０３の頭部と固定穴１１８との摩擦等により、表示パネル１０１を遊技者の自由な角度に傾けてその角度位置を保持することができる。
【００１９】
図４の（Ａ）は図１の表示パネル１０１の取付け方法の他の例を示す分解斜視図であって、飾り板１１０や表示パネル１０１をそれらの裏側から外観した図である。本例では、まず飾り板１１０の開口部１１７を裏側から切り欠いた左右一対の水平Ｕ字溝１１９内に、表示パネル１０１の回転軸１０３をはめ込んで表側方向の壁面に着座させる。続いて、ライン表示１１１（図１）用の箱型のランプケース１３０の縁部に設けたストッパ１３２が、Ｕ字溝１１９内の弾性受け部１２１に当接するまで、ランプケース１３０の縁部に形成した突起１３１を上記のＵ字溝１１９内に滑り入れて、ランプケース１３０を飾り板１１０の裏側の開口溝１２０内にはめ込み、固定する。これにより、回転軸１０３はＵ字溝１１９の所定位置に安定して保持される。
【００２０】
図４の（Ｂ）はその取りつけ後の表示パネル１０１の取り付け部の断面構造の一例を示す水平方向の横断面図である。回転軸１０３は図３で示したと同様に保持され、表示パネル１０１は回転軸１０３を枢軸として上下方向に回転（チルト）でき、回転軸１０３の頭部と固定穴（Ｕ字溝）１１９との摩擦等により、遊技者の自由な角度に傾けてその角度位置を保持することができる。１３３はライン表示１１１用の電球である。
【００２１】
図５は遊技者の座高の違いに伴う遊技者の目線（視線）ＥＹの変動と本発明によるチルト表示パネル１０１の傾斜角度の調整との関係の一例を示す模式図である。
【００２２】
図５の（Ａ）は座高が平均より高いため遊技者の目線ＥＹが表示パネル１０１を上から覗き込むような場合を示す。この場合は、調整板１０４を指で上方向に回して表示パネル１０１を通常よりも多少寝かせぎみに傾斜させてセットする。
【００２３】
以上の調整操作により、遊技者の目線ＥＹの焦点を表示パネル１０１の組合せライン１０２に丁度合わせることができ、これにより３枚の図柄シート５０１の図柄揃いの誤認を防ぐことができる。すなわち、外れであるのにライン１０５上に入賞図柄が揃ったように見えるという不都合が解消される。
【００２４】
これら図柄シート５０１はそれぞれの回転プーリー５０２と回転リール５０３間に掛けまわされ、電動モータのような駆動手段またはギヤーボックスのような伝動手段（図示しない）と連結する回転プーリー５０２が、同図の矢印方向に回転することにより、図柄シート５０１上に描かれた図柄が上から下へと流れるように所定の速度で回転し、後述の３個の停止ボタン（図６の６０９、６１０、６１１）を任意の順序で任意のタイミングで独立に押すことで、その回転が順次停止する。これらの図柄状態の変化は、表示パネル１０１の表示窓１０２を透過して遊技者により観察される。なお、図柄を直接ドラム表面に描いた回転ドラム式の表示パネルにも、本発明は同様に適用できることは勿論である。
【００２５】
図５の（Ｂ）は座高がほぼ平均の遊技者の目線ＥＹとその時の表示パネル１０１の傾斜角度の調整位置の関係を示す。この場合は、表示パネル１０１の傾斜角度は従来と同様の通常の設計角度となる。
【００２６】
図５の（Ｃ）は座高が平均より低いため遊技者の目線ＥＹが表示パネル１０１を下から覗き込むようになる場合を示す。この場合は、調整板１０４を指で下方向に回して表示パネル１０１を通常よりも多少立てぎみに傾斜させてセットすると、遊技者の目線ＥＹの焦点を表示パネル１０１の組合せライン１０５に丁度合わせることができ、これにより３枚の図柄シート５０１の図柄の揃いの誤認を防ぐことができる。すなわち、外れであるのにライン１０５上に入賞図柄が揃ったように見えるという不都合が解消される。
【００２７】
図６は本発明による上記のチルト表示パネル１０１と上記の飾り板１１０をパロット（スロットルマシーン）６００に組込んだ状態の一例を示す正面図であり、図７はそのほぼ中央位置の垂直方向の断面構造を示す縦断面図、図８は図７の表示パネル１０１の周囲の詳細な拡大図である。ここで、６０１は状態ランプ、６０２は画像表示装置、６０３は可変表示装置、６０４はスピーカ、６０５は賞球口、６０６は遊技球受け皿（上皿）である。また、６０７は遊技球投入ボタン、６０８はスタートボタン、６０９、６１０、６１１はそれぞれ停止ボタン、６１２はクレジットボタン（清算ボタン）、６１３は遊技球返却ボタン、６１４は遊技球放出口、６１５は遊技球受け皿（下皿）である。パロット６００の動作は従来例のスロットルマシーンとほぼ同様なのでその説明は省略する。
【００２８】
【発明の効果】
以上説明したように、本発明によれば、表示パネルの角度を遊技者が調整できるようにしたので、遊技者の目線に合わせた回胴式遊技機を提供することができ、遊技者の座高の如何に拘わらず、回転ドラムに張られた図柄シールが、表示パネルの組合わせライン上で停止した状態で、その停止図柄の当り、外れが明確に見分けることができ、これにより誤認が解消される。
【００２９】
また、スロットルマシーン等では遊技者は一般に図柄シールの繋ぎ目を基準に回転ドラムを停止（目押し）させ、当りを引き当てているが、本発明を用いれば、表示パネルを遊技者の見やすい角度に自由に調整することができるので、図柄シールの繋ぎ目が見やすくなり、正確に回転ドラムを停止（目押し）させることができる。
【図面の簡単な説明】
【図１】スロットマシーンやパロット等の回胴式遊技機に用いられる本発明の一実施形態の表示パネルの外観構成の一例を示す斜視図である。
【図２】図１の表示パネル１０１の取付け方法の一例を示す分解斜視図である。
【図３】図２の表示パネル１０１の取付け後の取り付け部の断面構造の一例を示す縦断面図である。
【図４】（Ａ）は図１の表示パネル１０１の取付け方法の他の例を示す分解斜視図であり、（Ｂ）はその取りつけ後の表示パネル１０１の取り付け部の断面構造の一例を示す水平方向の横断面図である。
【図５】遊技者の座高の違いに伴う遊技者の目線（視線）ＥＹの変動と本発明によるチルト表示パネル１０１の傾斜角度の調整との関係の一例を示す模式図である。
【図６】本発明によるチルト表示パネルと飾り板をスロットルマシーンに組込んだ状態の一例を示す正面図である。
【図７】図６のスロットルマシーンのほぼ中央位置の垂直方向の断面構造を示す縦断面図である。
【図８】図７の表示パネル１０１の周囲の詳細な拡大図である。
【符号の説明】
１０１  表示パネル
１０２  表示窓
１０３  回転軸
１０４  調整板
１０５  組合せライン
１０６  穴
１０７  バネ
１０８  留め金
１１０  飾り板
１１１  ライン表示
１１２  停止表示
１１３  賞球表示
１１４  クレジット数表示
１１５  投入数表示
１１６  ボーナスゲーム表示
１１７  開口部
１１８  固定穴
１１９  Ｕ字溝
１２０  開口溝
１２１  弾性受け部
１３０  ランプケース
１３１  突起
１３２  ストッパ
１３３  電球
５０１  図柄シート
５０２  回転プーリー
５０３  回転リール
６００  パロット（スロットルマシーン）
６０１  状態ランプ
６０２  画像表示装置
６０３  可変表示装置
６０４  スピーカ
６０５  賞球口
６０６  遊技球受け皿（上皿）
６０７  遊技球投入ボタン
６０８  スタートボタン
６０９、６１０、６１１  停止ボタン
６１２  クレジットボタン
６１３  遊技球返却ボタン
６１４  遊技球放出口
６１５  遊技球受け皿（下皿）
【図１】
0004629861.tif 000002
【図２】
0004629861.tif 000003
【図３】
0004629861.tif 000004
【図４】
0004629861.tif 000005
【図５】
0004629861.tif 000006
【図６】
0004629861.tif 000007
【図７】
0004629861.tif 000008
【図８】
0004629861.tif 000009